(57)【要約】【課題】従来の椅子に関する人間工学的研究から得られた知見を、発泡樹脂成型体からなる座部材を備えた椅子に活かすことで、座骨結節点の近傍域で着座者の体重を支持することでき、それ以外の部分を必要以上に圧迫せず、また、着座者の姿勢の安定性を高めることができる椅子の支持構造を提供すること。【解決手段】発泡樹脂成型体からなる座部材１に座面の沈み度合いを調整する空洞部Ｈを、座部材１の空洞率が、着座したときに座骨結節点Ｘが位置する奥側領域より、前方の中間領域が大きくなるようにし、さらに、その前方の前側領域に向けて漸次小さくなるように形成する。【選択図】図２−１
2018078921.tif 000002
【特許請求の範囲】
【請求項１】
発泡樹脂成型体からなる座部材を備えた椅子の支持構造において、前記発泡樹脂成型体からなる座部材に座面の沈み度合いを調整する空洞部を、座部材の空洞率が、着座したときに座骨結節点が位置する奥側領域より、前方の中間領域が大きくなるようにし、さらに、その前方の前側領域に向けて漸次小さくなるように形成したことを特徴とする椅子の支持構造。
【請求項２】
前記空洞部が、座部材の裏面に開口し表面側まで貫通しない有底の穴からなり、穴の大きさを変えることによって、空洞率を変えるようにしたことを特徴とする請求項１に記載の椅子の支持構造。
【請求項３】
着座者の骨盤から腰にかけて支持するペルビックランバーサポート部材を、背もたれに、前方への突出形状が可変となるように設けたことを特徴とする請求項１又は２に記載の椅子の支持構造。
【請求項４】
前記ペルビックランバーサポート部材が、厚さ２〜４ｍｍの合成樹脂製の板状部材からなることを特徴とする請求項３に記載の椅子の支持構造。
【発明の詳細な説明】
【技術分野】
【０００１】
本発明は、事務用に好適に用いられる椅子に関し、特に、その支持構造に関するものである。
【背景技術】
【０００２】
古くから欧州では椅子に関する人間工学的研究が活発に行なわれており、例えば、オケルブロムは、著作「座位姿勢と立位姿勢」（1948）のなかで、背もたれの傾斜角を二段階に分けて背部と腰部が接するようにし、前傾姿勢で作業をするときには腰部背もたれで体幹を支持することを提唱した。また、座面については、体重を支え部位は座骨結節しか人体構造上選択肢がないことを強調し、硬くてくぼみのある座面より軟らかい座面の方がよいとしていた（非特許文献１参照）。
【０００３】
また、キーガン（1953）は、これをさらに発展させ、椅子設計の１１要点をまとめ、その最も重要な点として、腰椎下部を支える位置に背もたれを設けることを挙げた。この１１要点は現在も椅子設計の基礎として知られている（非特許文献２参照）。
【先行技術文献】
【非特許文献】
【０００４】
【非特許文献１】Akerblom, B.: Standing and Sitting Posture, Stockholm, Nordiska Bokhandeln, '48.
【非特許文献２】Keegan, J. J.: Alterations of the Lumbar Curve Related to Posture and Seating, J. Bone and Joint Surgery, Vol. 35, A, No. 3, pp 589-603, 1953.
【発明の概要】
【発明が解決しようとする課題】
【０００５】
本発明は、上記従来の椅子に関する人間工学的研究から得られた知見を、発泡樹脂成型体からなる座部材を備えた椅子に活かすことで、座骨結節点の近傍域で着座者の体重を支持することでき、それ以外の部分を必要以上に圧迫せず、また、着座者の姿勢の安定性を高めることができる椅子の支持構造を提供することを第１の目的とする。
【０００６】
また、本発明は、同様に、腰部に背もたれを設けることで、着座者の姿勢の安定性を高めることができる椅子の支持構造を提供することを第２の目的とする。
【課題を解決するための手段】
【０００７】
上記第１の目的を達成するため、本発明の椅子の支持構造は、発泡樹脂成型体からなる座部材を備えた椅子の支持構造において、前記発泡樹脂成型体からなる座部材に座面の沈み度合いを調整する空洞部を、座部材の空洞率が、着座したときに座骨結節点が位置する奥側領域より、前方の中間領域が大きくなるようにし、さらに、その前方の前側領域に向けて漸次小さくなるように形成したことを特徴とする。
【０００８】
この場合において、前記空洞部が、座部材の裏面に開口し表面側まで貫通しない有底の穴からなり、穴の大きさを変えることによって、空洞率を変えるようにすることができる。
【０００９】
さらに、上記第２の目的を達成するため、本発明の椅子の支持構造は、着座者の骨盤から腰にかけて支持するペルビックランバーサポート部材を、背もたれに、前方への突出形状が可変となるように設けたことを特徴とする。
【００１０】
また、前記ペルビックランバーサポート部材が、厚さ２〜４ｍｍの合成樹脂製の板状部材からなるようにすることができる。
【発明の効果】
【００１１】
本発明の椅子の支持構造によれば、発泡樹脂成型体からなる座部材に座面の沈み度合いを調整する空洞部を、座部材の空洞率が、着座したときに座骨結節点が位置する奥側領域より、前方の中間領域が大きくなるようにし、さらに、その前方の前側領域に向けて漸次小さくなるように形成することにより、発泡樹脂成型体からなる座部材を備えた椅子において、座骨結節点の近傍域で着座者の体重が支持でき、それ以外の部分を必要以上に圧迫せず、また、着座者の姿勢の安定性を高めることができる。
【００１２】
また、前記空洞部が、座部材の裏面に開口し表面側まで貫通しない有底の穴からなり、穴の大きさを変えることによって空洞率を変え、これにより、発泡樹脂成型体からなる座部材に、座面の沈み度合いを調整する空洞部を、簡易かつ精度よく形成することができる。
【００１３】
さらに、本発明の椅子の支持構造によれば、着座者の骨盤から腰にかけて支持するペルビックランバーサポート部材を、背もたれに、前方への突出形状が可変となるように設けるようにすることにより、着座者の姿勢の安定性を高めることができる。
【００１４】
また、前記ペルビックランバーサポート部材が、厚さ２〜４ｍｍの合成樹脂製の板状部材からなるようにすることにより、ペルビックランバーサポート部材にある程度の柔軟性を持たせ、着座者の種々の姿勢に適合できるものとすることができる。
【図面の簡単な説明】
【００１５】
【図１】本発明の椅子の支持構造における椅子の座部材の一実施例を示し、（ａ）は平面図、（ｂ）は正面図、（ｃ）は底面図、（ｄ）は右側面図、（ｅ）は左側面図、（ｆ）は背面図、（ｇ）は斜め前側の上方から見た斜視図、（ｈ）は斜め前側の下方から見た斜視図である。
【図２−１】同椅子の座部材を示し、（ａ）は平面図、（ｂ）は正面図、（ｃ）は底面図である。
【図２−２】同椅子の座部材を示し、（ｄ）は左側面図、（ｅ）は図２−１（ａ）のＢ−Ｂ断面図、（ｆ）は図２−１（ｂ）のＡ−Ａ断面図、（ｇ）は図２−１（ｃ）のＣ−Ｃ断面図、（ｈ）は図２−１（ｃ）のＤ−Ｄ断面図である。
【図３】同椅子の背もたれの一実施例を示し、（ａ）は平面図、（ｂ）は正面図、（ｃ）は底面図、（ｄ）は右側面図、（ｅ）は左側面図、（ｆ）は背面図、（ｇ）は斜め後側の上方から見た斜視図、（ｈ）は斜め前側の上方から見た斜視図、（ｉ）はビックランバーサポート部材の前方への突出形状を小さく設定した状態の縦断面図、（ｊ）はビックランバーサポート部材の前方への突出形状を大きく設定した状態の縦断面図である。
【図４】本発明の椅子の支持構造における着座者の支持状態を示す説明図である。
【発明を実施するための形態】
【００１６】
以下、本発明の椅子の支持構造の実施の形態を、図面に基づいて説明する。
【００１７】
図１〜図４に、本発明の椅子の支持構造の一実施例を示す。
この椅子の支持構造は、発泡樹脂成型体からなる座部材１を備えた椅子の支持構造において、この発泡樹脂成型体からなる座部材１に座面の沈み度合いを調整する空洞部Ｈを、座部材１の空洞率が、着座したときに座骨結節点（想定座骨結節点）Ｘが位置する奥側領域より、前方の中間領域が大きくなるようにし、さらに、その前方の前側領域に向けて漸次小さくなるように形成するようにしたものである。
【００１８】
これにより、発泡樹脂成型体からなる座部材１を備えた椅子において、座骨結節点Ｘの近傍域で着座者の体重が支持でき、それ以外の部分を必要以上に圧迫せず、また、着座者の姿勢の安定性を高めることができる。
【００１９】
この場合において、発泡樹脂成型体からなる座部材１は、幅方向で見たとき中央が沈み込みように緩やかに湾曲した全体形状をし、従来汎用されている椅子と同様、剛性のあるベース座上に載置され、外表面を布等のシート材で覆って使用される。
【００２０】
また、空洞部Ｈは、任意の形状に形成することができるが、本実施例においては、空洞部Ｈを形成するための多数のピンを内面に突設した金型を用いてモールド成形する関係上、座部材１の裏面に開口し表面側まで貫通しない有底の穴からなり、穴の大きさを変えることによって空洞率を変え、これにより、発泡樹脂成型体からなる座部材１に、座面の沈み度合いを調整する空洞部Ｈを、簡易かつ精度よく形成することができるようにしている。
【００２１】
この空洞部Ｈは、着座者の体重がかかった際の発泡樹脂成型体からなる座部材１の座面の沈み度合いを調整するものであり、空洞部Ｈを設けることによる座部材１の空洞率は、発泡樹脂成型体からなる座部材１の特性（硬いか軟らかいか）等によって適宜設定する（通常、硬い場合は空洞率を大きく、軟らかい場合は空洞率を小さく設定する。）ようにする。
【００２２】
より具体的には、座部材１を構成する発泡樹脂成型体に、耐荷重用軟質ポリウレタンフォーム（JIS K 6401）（ポリオール成分１００重量部、イソシアネート成分４１重量部）を用いるようにした場合、空洞部Ｈの穴は、モールド成形する際に金型の内面に突設したピンの影響を受けることなく金型内に原料樹脂が偏りなく充填されるように、ピンを、千鳥状に等間隔（本実施例においては、２５ｍｍの間隔をあけるようにしている。）に設けた金型を用いてモールド成形することで、図２−１〜図２−２に示すように、座骨結節点Ｘが含まれるＨ８列の穴を含む、Ｈ６〜Ｈ１２列の穴の直径をφ１５ｍｍに、その前方のＨ５列の穴の直径をφ２１ｍｍに、Ｈ４列の穴の直径をφ１５ｍｍに、Ｈ３列の穴の直径をφ１２ｍｍに、Ｈ１〜Ｈ２列の穴の直径をφ９ｍｍに形成するようにしている。
【００２３】
ここで、空洞部Ｈの穴の深さは、座部材１の厚さに応じて適宜設定することができるが、座部材１の厚さが５０ｍｍの場合は、３０〜４０ｍｍ程度（本実施例においては、３５ｍｍ）に設定するようにしている。
【００２４】
これにより、直径φ２１ｍｍのＨ５列の穴を形成した箇所の座部材１の空洞率（空洞率＝Ｈ５列の穴の容積の合計／Ｈ５列の穴を結ぶ中心線から前後それぞれ１２．５ｍｍ間の座部材１の体積×１００％。以下、同様。）は１６．１％、直径φ１５ｍｍのＨ４列及びＨ６〜Ｈ１２列の穴を形成した箇所の座部材１の空洞率は８．２％、直径φ１２ｍｍのＨ３列の穴を形成した箇所の座部材１の空洞率は５．３％、直径φ９ｍｍのＨ１〜Ｈ２列の穴を形成した箇所の座部材１の空洞率は２．９％となる。
なお、空洞部Ｈとして穴を設けることによる座部材１の空洞率は、発泡樹脂成型体からなる座部材１の特性等によって、上記数値の±２５％程度の範囲で適宜設定するようにすることができる。
【００２５】
なお、本実施例の椅子の支持構造においては、空洞部Ｈを設けることによる座部材１の空洞率を、空洞部Ｈの穴の直径を変えることによって制御するようにしたが、このほか、空洞部Ｈの穴の深さを変えたり、空洞部Ｈの穴の分布を変えること等によって、制御することができる。
【００２６】
ところで、本実施例の椅子の支持構造においては、座骨結節点Ｘの近傍域で着座者の体重を支持する座部材１に加え、図３〜図４に示すように、着座者の骨盤から腰にかけて支持するペルビックランバーサポート部材３を、背もたれ２に、前方への突出形状が可変となるように設けるようにしている。
ここで、図３に示す背もたれ２は、空間部にメッシュ素材からなるメッシュ素材（ネット素材）等からなる可撓性を備えたシート材（図示省略）が張設され、その背面から、ペルビックランバーサポート部材３によって、着座者の骨盤から腰にかけて支持するようにされている。
【００２７】
このペルビックランバーサポート部材３が、ある程度の柔軟性を有する厚さ２〜４ｍｍの略Ｔ字形状の合成樹脂製の板状部材から構成され、上部の両側を、背もたれ２の中間よりやや下部位置にそれぞれ嵌め込むようにし、下部を、背もたれ２の下部位置に上下２段に形成した嵌込部２１、２２のいずれかに選択的に嵌め込むことにより、ペルビックランバーサポート部材３が、前方へ湾曲した突出状態で取り付けることができるようにしている。
ここで、上下２段に形成した嵌込部２１、２２は、上段の嵌込部２１より下段の嵌込部２２が前方に位置するように形成することにより、ペルビックランバーサポート部材３の下部を、図３（ｉ）に示すように、上段の嵌込部２１に嵌め込むようにした場合には、前方への突出形状が小さく設定され、図３（ｊ）に示すように、下段の嵌込部２２に嵌め込むようにした場合には、前方への突出形状が大きく設定されるものとなる。
また、背もたれ２を、椅子本体から延設した背もたれ支持体４に対して昇降可能に取り付けることによって、ペルビックランバーサポート部材３を、着座者に適応した高さに位置させることができる。
これにより、ペルビックランバーサポート部材３にある程度の柔軟性を持たせ、着座者の種々の姿勢に適合できるものとすることができ、着座者の姿勢の安定性を高めることができる。
【００２８】
このように、本実施例の椅子の支持構造においては、図４に示すように、座部材１によって、座骨結節点Ｘの近傍域で着座者の体重を支持することに加え、ペルビックランバーサポート部材３によって、着座者の骨盤から腰にかけて支持することができ、着座者の姿勢の安定性を高めることができる。
【００２９】
以上、本発明の椅子の支持構造について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明の椅子の支持構造は、従来の椅子に関する人間工学的研究から得られた知見を、発泡樹脂成型体からなる座部材を備えた椅子に活かすことで、座骨結節点の近傍域で着座者の体重を支持することでき、それ以外の部分を必要以上に圧迫せず、また、着座者の姿勢の安定性を高めることができ、また、腰部に背もたれを設けることで、着座者の姿勢の安定性を高めることができることから、事務用の椅子の用途に好適に用いることができるほか、広く各種の椅子の用途に用いることができる。
【符号の説明】
【００３１】
１  座部材
２  背もたれ
２１  嵌込部
２２  嵌込部
３  ペルビックランバーサポート部材
４  背もたれ支持体
Ｈ  空洞部（穴）
Ｘ  座骨結節点
【図１】
2018078921.tif 000003
【図２−１】
2018078921.tif 000004
【図２−２】
2018078921.tif 000005
【図３】
2018078921.tif 000006
【図４】
2018078921.tif 000007